(57)【要約】【課題】  遊技盤を鉛直方向に対して傾斜させた状態で遊技に供される遊技機において、遊技盤の鉛直方向に対する傾斜を簡易に測定する。【解決手段】  この遊技機は、遊技球が流下する遊技領域が形成された遊技盤１３と、その遊技盤１３を収容する機体とを有する。この遊技機では、遊技盤１３を鉛直方向に対して傾斜させた状態で遊技に供される。そして、この遊技機には、遊技盤１３の鉛直方向に対する傾斜を測定する傾斜測定部が設けられる。【選択図】  図３
2005110853.tif 000002
【特許請求の範囲】
【請求項１】
遊技球が流下する遊技領域が形成された遊技盤と、その遊技盤を収容する機体とを有し、遊技盤を鉛直方向に対して傾斜させた状態で遊技に供される遊技機において、
遊技盤の鉛直方向に対する傾斜を測定する傾斜測定部を有することを特徴とする遊技機。
【発明の詳細な説明】
【技術分野】
【０００１】
本発明は、遊技盤に形成された遊技領域内を遊技球が流下する遊技機に関し、詳しくは、遊技店に遊技機を設置する場合等において遊技機の傾斜を測定するための技術に関する。
【背景技術】
【０００２】
パチンコ機やアレンジボール機等の遊技機では、遊技機の傾きによって遊技球の入賞状況が大きく変化する。したがって、適切かつ好適に遊技を行うためには、遊技機の傾斜を測定し、この測定結果に基づいて遊技機の傾きを適切に調整する必要がある。このために、遊技機の傾斜を目視可能に表示し得るようにした遊技機が開発されている（特許文献１）。
特許文献１に開示の遊技機では、遊技盤を収容する外枠に設置部が設けられ、この設置部に傾き表示装置が装着される。傾き表示装置は、設置部の形状・サイズに応じて成形されたフレームと、このフレームに組み付けられた気泡管とを有する。気泡管は、その全体が曲率半径の大きな円弧状となるように成形され、その傾きに応じて気泡管内の気泡の位置が変位するようになっている。外枠に設けられた設置部に傾き表示装置を装着した状態では、外枠の傾きに応じて気泡管内の気泡が変位する。このため、気泡の位置によって外枠の傾斜角度（すなわち、遊技盤の傾斜角度）を測定することができる。傾斜角度が測定されると、その測定結果から遊技機の傾きを適切な傾斜角度に調整することができる。
【特許文献１】特開平１０−１５６０１８号公報
【発明の開示】
【発明が解決しようとする課題】
【０００３】
しかしながら、従来の遊技機では、フレームと、このフレームに組み付けられた気泡管とで傾き表示装置が構成され、さらに、この傾き表示装置を遊技機の外枠に着脱可能に装着する構成をとっている。このため、遊技機の傾きを精度良く測定するためには、傾き表示装置を構成するフレームや気泡管に形状精度が要求されるだけではなく、傾き表示装置が装着される外枠にも形状精度が要求されることとなる。すなわち、従来の遊技機では、傾き表示装置の構成が複雑となる分だけ、形状精度を要求される部品が多くなってしまうという問題があった。
【０００４】
本発明は上述した実情に鑑みなされたものであり、その目的は、遊技球を用いて遊技機の傾斜を簡易に測定可能とすることで、遊技機の傾きを測定する傾斜測定部を簡易に構成することができる遊技機を提供することである。
【課題を解決するための手段】
【０００５】
上記課題を解決するために創作された本願第１の遊技機は、遊技球が流下する遊技領域が形成された遊技盤と、その遊技盤を収容する機体とを有し、遊技盤を鉛直方向に対して傾斜させた状態で遊技に供される遊技機であって、遊技盤の鉛直方向に対する傾斜を測定する傾斜測定部を有する。そして、前記傾斜測定部は遊技球を載置可能であって、載置した遊技球の停止位置によって遊技盤の傾斜度合を示すことを特徴とする（手段１）。
【０００６】
（手段１に記載の遊技機の作用と効果）  この遊技機において遊技盤の傾斜を知りたい時は、傾斜測定部上に遊技球を載せる。傾斜測定部上に載せた遊技球は、遊技盤が所定の角度範囲で傾斜していると傾斜測定部上で停止し、その停止位置は遊技盤の傾斜度合いによって変化する。このため、傾斜測定部上に載せた遊技球の停止位置を調べることで、遊技盤の傾き度合いを測定することができる。そして、測定した遊技盤の傾き度合いに応じて遊技盤の傾きを再調整することで、遊技盤を適切な角度に調整することができる。
この遊技機の傾斜測定部は、気泡管等の替わりに遊技球を用いて傾斜を測定する。遊技球は遊技機が設置される遊技店等にあるため、傾斜測定部には遊技球を載置可能な部分を設けるだけでよい。このため、傾斜測定部を簡易に構成することができる。
ここで、「傾斜を測定する」とは、遊技盤の傾斜を数値化して測定することだけを意味するのではなく、遊技盤の傾斜を感覚的に把握することをも意味している。したがって、遊技球の停止位置等から感覚的に把握される遊技盤の傾き（例えば、遊技盤が適切な傾斜角度より傾きすぎている、又は、遊技盤が適切な傾斜角度となっていない等）を知ることも、ここでいう「傾斜を測定する」に相当する。
【０００７】
手段１に記載の遊技機において、前記傾斜測定部は遊技球を載置可能な凹部を有することが好ましい。その凹部の所定の位置には遊技盤の傾斜度合を示す表示があることが好ましい（手段２）。
【０００８】
（手段２に記載の遊技機の作用と効果）  この遊技機では、傾斜測定部の凹部に遊技球が載置される。したがって、遊技球を安定した状態で傾斜測定部上に載せることができる。さらに、遊技球が載置される凹部に遊技盤の傾斜度合いを示す表示（例えば、目盛り、印等）が設けられると、凹部上に載せた遊技球の停止位置をこの表示で読取ることによって、遊技盤の傾斜度合いを定量的に把握することができる。
【０００９】
手段２に記載の遊技機の一態様としては、前記凹部は溝であって、その溝の幅は遊技球の直径より小さくされると共に溝長手方向に連続的に変化しており、その溝に遊技球を嵌めたときに溝の底面と遊技球とが接触しないことが好ましい（手段３）。
【００１０】
（手段３に記載の遊技機の作用と効果）  この遊技機の傾斜測定部は、遊技球を嵌めるための溝を有する。この溝の幅は遊技球の直径より小さく、また、この溝に遊技球を嵌めたときに溝の底面と遊技球とが接触しないようになっている。このため、遊技球を溝に嵌めると、その遊技球は溝の両側面の上縁の２点で支持される。さらに、この溝の幅は、溝長手方向に連続的に変化する。したがって、傾斜測定部が水平の状態では、溝に嵌められた遊技球には溝に沿って回転しようとする回転モーメントが作用し、その回転モーメントの大きさは溝の幅（すなわち、溝長手方向の位置）に応じて変化する。このため、傾斜測定部を傾けることで遊技球に作用する回転モーメントを打ち消し、溝に嵌めこんだ遊技球を停止させようとした場合、遊技球の停止位置に応じて打ち消すべき回転モーメントの大きさが異なることから、遊技球の停止位置に応じて傾斜測定部の傾斜角度も異なることとなる。
なお、溝の幅は、溝の一方の端部から他方の端部に向かって単調に減少するように変化してもよく、あるいは、基準となる位置（例えば、中心）から遊技機前後方向（すなわち、溝両端）に向かってそれぞれ単調に減少するように変化してもよい。
【００１１】
また、手段２に記載の遊技機の他の一態様としては、前記凹部は平行に配置された２本のリブによって形成され、リブ間の幅は遊技球の直径より小さくされ、かつ、リブ上端はリブ長手方向に下方に凸の円弧状に形成されており、２本のリブ上に遊技球を載せたときに遊技球の下端がリブの下端より高くなることが好ましい（手段４）。
【００１２】
（手段４に記載の遊技機の作用と効果）  この遊技機では、平行に配置された２本のリブ上に載せられた遊技球は、２本のリブによって支持される。リブ上端はリブ長手方向に下方に凸の円弧状に形成されているため、２本のリブ上に載せられた遊技球は傾斜測定部の傾きに応じてその停止位置が変化する。したがって、遊技球の停止位置によって傾斜測定部（すなわち、遊技盤）の傾きを知ることができる。
なお、リブ上端は、リブを側方から見たときに下方に凸となるように形成されれば良く、例えば、リブ長手方向中央からリブの各端部に向かってリブ上端の高さが単調に増加（例えば、直線的に増加）するように形成することもできる。
【００１３】
上記課題を解決するために創作された本願第２の遊技機は、遊技球が流下する遊技領域が形成された遊技盤と、その遊技盤を収容する機体とを有し、遊技盤を鉛直方向に対して傾斜させた状態で遊技に供される遊技機であって、遊技盤の鉛直方向に対する傾斜を測定する傾斜測定部を有する。そして、前記傾斜測定部は遊技球を載置可能であって、遊技盤が鉛直方向に対して予め設定された傾斜角度に傾いている状態で傾斜測定部上に遊技球を載せるとその遊技球が傾斜測定部上で停止する一方、遊技盤が鉛直方向に対して予め設定された傾斜角度とは異なる角度に傾いている状態で傾斜測定部上に遊技球を載せるとその遊技球が傾斜測定部上で停止しないことを特徴とする（手段６）。
【００１４】
（手段６に記載の遊技機の作用と効果）  この遊技機においても、遊技盤の傾斜を知りたい時は、傾斜測定部上に遊技球を載せる。傾斜測定部上に載せた遊技球は、遊技盤が予め設定した傾斜角度になっていると傾斜測定部上で停止し、一方、遊技盤が予め設定した傾斜角度になっていないと傾斜測定部上で停止しない。このため、傾斜測定部上に載せた遊技球の挙動によって、遊技盤が予め設定した傾斜角度に調整されているのか否かを判定することができる。したがって、この判定結果に基づいて遊技盤の傾きを再調整することで、遊技盤を適切な角度（予め設定されてもよい）に調整することができる。
また、手段１に記載の遊技機と同様に、気泡管の替わりに遊技球を用いて傾斜を測定するため、傾斜測定部を簡易に構成することができる。
【００１５】
手段６に記載の遊技機においては、前記傾斜測定部は遊技球を載置可能な平面を有し、その平面は、遊技盤面の法線方向から、遊技盤が傾けられる方向と反対の方向に、前記の予め設定された傾斜角度だけ傾斜していることが好ましい（手段７）。
【００１６】
（手段７に記載の遊技機の作用と効果）  この遊技機において、遊技盤を鉛直方向から「予め設定された傾斜角度」だけ傾けると水平面となり、平面上に載せた遊技球は平面上で停止する。したがって、この傾斜測定部によって遊技盤が予め設定された傾斜角度となっているか否かを判定することができる。
【００１７】
手段１〜７のいずれかに記載の遊技機において、前記傾斜測定部は、遊技盤に形成された遊技領域内で、かつ、遊技時において遊技球が通過しない部分に設けられることが好ましい（手段８）。
【００１８】
（手段８に記載の遊技機の作用と効果）  この遊技機では、傾斜測定部が遊技盤に直接設けられるため、遊技盤の傾斜を直接測定することができる。また、遊技領域内に傾斜測定部を設けても、遊技時は傾斜測定部を遊技球が通過しないため、傾斜測定部が遊技の障害となることはない。
【００１９】
手段８に記載の遊技機において、遊技盤には役物装置が取付けられており、その役物装置に前記傾斜測定部が設けられていることが好ましい（手段９）。
【００２０】
（手段９に記載の遊技機の作用と効果）  この遊技機では、役物装置に傾斜測定部が設けられているため、役物装置の傾斜を直接側定することができる。
【発明を実施するための最良の形態】
【００２１】
以下、本実施形態に係るパチンコ機について図面を参照して詳細に説明する。本実施形態に係るパチンコ機１は、機体と、機体に着脱可能に収容される遊技盤１３によって構成される。まず、機体の構成について図１及び図２を参照して説明する。図１はパチンコ機１の外枠２に対し前面枠１０を開いた状態を示す図であり、図２は外枠２に対し前面枠１０及び前面開閉枠３０を開いた状態を示す図である。
図１、図２に示されているように、パチンコ機１の機体は、外枠２、前面枠１０および前面開閉枠３０を主体として構成されている。外枠２は、方形枠状に形成されており、遊技店に設けられた島設備に固定できるようになっている。島設備に外枠２を固定する際は、外枠２の上端を下端に対して後側に変位させた状態とする。したがって、遊技盤１３は後側に傾いた状態でパチンコ遊技に供されるようになっている。
外枠２の下部には前面枠１０の下端を受け止める下受け板３が取付けられている。外枠２の表面片側には、前面枠ヒンジ機構１００によって、外枠２に対して開閉可能に前面枠１０が組み付けられている。
【００２２】
前面枠１０は方形額縁状に形成されており、前面枠１０の裏面には前面枠１０の開口部周縁に沿って支持枠体１１が設けられている。支持枠体１１には、遊技盤１３が着脱可能に取付けられる。遊技盤１３が前面枠１０に取付けられた状態では、遊技盤１３の表面のほとんどが前面枠１０の開口部から露出するようになっている。また、前面枠１０の裏面には、裏セットヒンジ機構１２０によって裏セット部材１６が開閉可能に組み付けられている（図１参照）。
【００２３】
前面枠１０の支持枠体１１には、裏セット部材１６を閉じた状態に保持するための複数の締め付け具１９が取付けられている。前面枠１０に遊技盤１３を固定する場合は、前面枠１０の支持枠体１１に遊技盤１３を組み込み、次に、裏セット部材１６を前面枠１０に対して閉じ、締め付け具１９によって裏セット部材１６を閉じた状態に保持する。逆に、前面枠１０から遊技盤１３を取り外す場合は、締め付け具１９を外して裏セット部材１６を開き、前面枠１０の支持枠体１１から遊技盤１３を取り外す。
なお、前面枠１０の支持枠体１１と遊技盤１３のサイズは規格化されており、異なる種類の遊技盤１３を支持枠体１１に取付け可能となっている。したがって、遊技店において新台入れ替えを行う場合は、遊技盤のみを新規な種類のものに入れ替えることができる。
【００２４】
また、図１に示されているように、前面枠１０の裏側には、上下に１つずつの前面枠施錠フック１７が上下方向にスライド可能に組み付けられている。前面枠施錠フック１７は、外枠２に対して前面枠１０が閉じられたときに、外枠２に設けられた係合部（図示していない）と係合し、前面枠１０を閉じた状態に施錠する。外枠２に対する前面枠１０の解錠は、図２に示されている前面枠１０の表側の鍵穴２２に鍵を挿入して回すことで行なわれる。鍵を鍵穴２２に挿入して回すと、前面枠施錠フック１７が解錠方向（下方）にスライドし、外枠２の係合部から外れることで開錠される。
【００２５】
図２に示されているように、前面枠１０の表側下部には、パチンコ球を発射するための発射ハンドル２０、発射ハンドル２０によって操作される発射装置（図示省略）及び下皿２１等が取付けられている。発射ハンドル２０は、遊技者によって操作され、その操作量で発射されるパチンコ球の速度が決まるようになっている。下皿２１は、払出装置から払い出されたパチンコ球のうち上皿９３からオーバーフローするパチンコ球を受ける受皿である。
【００２６】
また、図２に示されるように、前面枠１０の表側には、前面開閉枠ヒンジ機構１４０によって開閉可能に前面開閉枠３０が組み付けられている。前面開閉枠３０は、前面開閉枠本体３１、補強部材３１ａ、ガラス枠３３等を備えている。
前面開閉枠本体３１は合成樹脂材料よりなり、その中央部に遊技盤１３の遊技領域を透視可能な略円形の透視窓３２が形成されている。前面開閉枠本体３１の裏面には、補強部材３１ａが装着され、前面開閉枠本体３１の強度を向上させている。補強部材３１ａの裏面側にはガラス枠３３が設けられている。ガラス枠３３には、透視窓３２を塞ぐ２枚の透明なガラス板が保持される。
【００２７】
前面開閉枠本体３１の側縁には、上・中・下のそれぞれ３箇所に前面開閉枠施錠フック８０が上下方向にスライド可能に組み付けられている。前面開閉枠施錠フック８０は、前面枠１０に対して前面開閉枠３０が閉じられたときに、前面枠１０に形成された係合穴８１に係合し、前面枠１０に対して前面開閉枠３０を施錠する。前面枠１０に対する前面開閉枠３０の解錠は、前面枠１０の前面の鍵穴２２に鍵を挿入して、外枠２に対する前面枠１０の解錠方向とは逆の方向に鍵を回すことで行なわれる。鍵を鍵穴２２に挿入して逆方向に回すと、前面開閉枠施錠フック８０が解錠方向（下方）にスライドし、前面枠１０に対して前面開閉枠３０が解錠される。
【００２８】
前面開閉枠３０の下方には、下板９０が前面枠１０にヒンジ機構（図示していない）によって開閉可能に組み付けられている。下板９０の裏面には、前面枠１０に対して下板９０を閉じた状態に保持する係合金具９１が装着されている。係合金具９１には閉止爪９２が形成され、閉止爪９２は前面枠１０に形成された係合部（図示せず）に係合する。下板９０の前面には上皿９３が取付けられている。
【００２９】
次に、前面枠１０に収容される遊技盤１３の構成について図３を参照して説明する。図３は遊技盤１３の正面図である。図３に示すように、方形板状の遊技盤１３の表面には上方に向かって円弧状に延びるレール５が配設され、レール５の内側にパチンコ球が流下する遊技領域１３ａが形成されている。遊技領域１３ａ内には、電動役物装置７や始動口６等の各種遊技装置が配設されている。遊技領域１３ａ内には、ハンドル２０を操作することで発射装置から発射されたパチンコ球が打ち込まれる。打ち込まれたパチンコ球は、遊技領域１３ａ内を流下し、釘等によって進行方向を変えながら各種入賞装置に入賞する。入賞装置にパチンコ球が入賞すると、各種遊技装置が作動するようになっている。
【００３０】
電動役物装置７は、「センター役物」とも呼ばれ、遊技盤１３に取付けられる枠体７ａを備える。枠体７ａの左右両側には、電動役物装置７内へのパチンコ球の入賞口である大入賞口８，９が設けられている。大入賞口８，９を開閉する羽根１４，１５は、回動可能に枠体７ａに取付けられている。羽根１４，１５は、始動入賞遊技中は０．８秒間だけ開かれる。大当り遊技中は、１．０秒間開いた後、１．０秒間閉めることを１回の動作とする開閉動作が所定回数だけ繰り返し行なわれる。本実施形態では、１ラウンドに１８回の開閉動作が行われ得るようになっている。
【００３１】
電動役物装置７の中央には、動物を連想させるキャラクタ体４が配設される。キャラクタ体４の下顎は、上下方向に揺動可能とされ、その内部にパチンコ球を一球停留できるようになっている。この下顎は、図示しないモータによって一定の周期で上下に揺動し、これによってキャラクタ体４の口が開閉するようになっている。下顎が下方に動いてキャラクタ体４の口が開くと、下顎内にパチンコ球を停留することが可能となる。一方、下顎が上方に動いてキャラクタ体４の口が閉じると、下顎内にパチンコ球を停留することはできず、下顎内に停留されているパチンコ球は下棚２４に放出される。
【００３２】
枠体７ａに形成された上棚３５は、パチンコ機１の後方（すなわち、キャラクタ体４側）に僅かに傾斜し、大入賞口８，９から入賞したパチンコ球をキャラクタ体４の方向に誘導する。キャラクタ体４の方向に誘導されたパチンコ球は、キャラクタ体４に停留、あるいは、キャラクタ体４に停留されることなく下棚２４に放出される。
ここで、キャラクタ体４にパチンコ球が停留される確率は、上棚３５の傾斜角度に影響される。すなわち、上棚３５の傾斜角度が小さい（上棚３５が水平に近い）と、パチンコ球がキャラクタ体４に向かって移動する速度が遅くなり、パチンコ球はキャラクタ体４に停留され易くなる。一方、上棚３５の傾斜角度が大きくなると、パチンコ球がキャラクタ体４に向かって移動する速度が速くなり、パチンコ球はキャラクタ体４に停留され難くなる。後述するように、パチンコ球がキャラクタ体４に停留されるか否かは、特別入賞区域２３ａ（いわゆるＶゾーン）への入賞の難易に影響する。このため、上棚３５の傾斜角度は遊技者に払出される賞球数に大きく影響し、適切な遊技を行うためには特に重要なものとなる。そこで、本実施形態の上棚３５には、上棚３５の傾斜角度を測定するための測定面が形成されている。なお、上棚３５の詳細な構成については後述する。
【００３３】
上棚３５の下方には下棚２４が設けられる。下棚２４は遊技者側（すなわち、パチンコ機１の前方）に僅かに傾斜しており、下棚２４の遊技者側には、パチンコ球が通過すると大当り遊技に移行又は大当り遊技を継続させる特別入賞区域２３ａ（以下、Ｖゾーンという）と、通過しても大当り遊技に移行しない又は大当り遊技を継続させない普通入賞区域２３ｂ（以下、Ｎゾーンという）が設けられている。したがって、下棚２４に放出されたパチンコ球は遊技者側に転動し、Ｖゾーン２３ａかＮゾーン２３ｂのいずれかに入賞する。図３より明らかなように、Ｖゾーン２３ａはキャラクタ体４の略真下に設けられる。このため、キャラクタ体４に停留されてから下棚２４に放出されたパチンコ球はＶゾーン２３ａに入賞し易く、キャラクタ体４に停留されずに下棚２４に放出されたパチンコ球はＶゾーン２３ａに入賞し難くなっている。
【００３４】
次いで、上棚３５の構成について図４〜６を参照して説明する。図４は上棚３５の斜視図であり、図５は上棚３５の正面図であり、図６は上棚３５の平面図である。図４によく示されるように上棚３５は、パチンコ機１の前後方向に伸びる第２球誘導部３６と、第２球誘導部３６から左右両側に伸びる第１球誘導部３９ａ，３９ｂとから構成される。
第１球誘導部３９ａ，３９ｂにはパチンコ球を案内する案内溝３７，３８が形成される。また、図５に示すように第１球誘導部３９ａ、３９ｂは、左右両側端側から第２球誘導部３６に向かって傾斜している。これらのため、大入賞口８，９から入賞して、第１球誘導部３９ａ，３９ｂ上に落下したパチンコ球は、第１球誘導部３９ａ，３９ｂの案内溝３７，３８に案内されて第２球誘導部３６側に転動する。
【００３５】
第２球誘導部３６の前端（パチンコ機前方）には、上方に突出した突起４０が形成される。図４の矢印Ｐで示すように、第１球誘導部３９ｂ（３９ａ）によって誘導されたパチンコ球Ｂは、突起４０に当って第２球誘導部３６の後端方向（パチンコ機後方）に進行方向を変える。第２球誘導部３６は前端側から後端側に傾斜しているため、突起４０によって進行方向を変えたパチンコ球は、そのまま第２球誘導部３６の後端側（すなわち、キャラクタ体４側）に転動する。
【００３６】
上述した突起４０の上面には、第２球誘導部３６が適切な傾斜角度に調整されているか否かを判定するための測定面４１が形成されている。測定面４１は、第２球誘導部３６に対して予め設定された角度だけ傾いており、第２球誘導部３６が適切な傾斜角度となると水平となるように形成されている。したがって、第２球誘導部３６が適切な傾斜角度に調整されているか否かは、測定面４１にパチンコ球を載せ、そのパチンコ球の挙動を見ることで判定することができる。
すなわち、図７（ａ）に示すように第２球誘導部３６の傾きが適切な傾斜角度より小さい場合（第２球誘導部３６の傾きが緩やか過ぎる場合）は、鉛直線と測定面４１とがなす角度は鈍角（例えば、９１°）となる。このため、測定面４１にパチンコ球を載せると、そのパチンコ球はパチンコ機前方に転がることとなる。逆に、図７（ｃ）に示すように第２球誘導部３６の傾きが適切な傾斜角度より大きい場合（第２球誘導部３６の傾きが急すぎる場合）は、鉛直線と測定面４１とがなす角度は鋭角（例えば、８９°）となる。このため、測定面４１にパチンコ球を載せると、そのパチンコ球はパチンコ機後方に転がることとなる。そして、図７（ｂ）に示すように第２球誘導部３６の傾きが適切な傾斜角度となると、鉛直線と測定面４１とがなす角度は９０°となる。このため、測定面４１にパチンコ球を載せると、そのパチンコ球は測定面４１上で停止する。
したがって、測定面４１上に載せたパチンコ球の挙動によって、第２球誘導部３６の傾きが適切な傾斜角度となっているか否かについて判定できることとなる。また、その挙動によって、どちらの方向にさらに傾ければよいかを知ることができる。すなわち、測定面４１上のパチンコ球がパチンコ機１の前方に転がるときは、第２球誘導部３６の傾きを大きくする方向に調整する。一方、測定面４１上のパチンコ球がパチンコ機１の後方に転がるときは、第２球誘導部３６の傾きを小さくする方向に調整する。
【００３７】
なお、遊技中に電動役物装置７の大入賞口８，９から入賞し第１球誘導部３９ａ，３９ｂ上に落下したパチンコ球は、突起４０によって方向転換され、突起４０上を通過することはない。したがって、突起４０上に測定面４１を形成しても、測定面４１によって遊技中のパチンコ球の挙動が影響を受けることはない。
【００３８】
最後に、上述したパチンコ機１を遊技店に設置する際の作業手順について説明する。パチンコ機１を遊技店に設置する場合は、まず、パチンコ機１の機体（外枠２，前面枠１０および前面開閉枠３０）を遊技店の島設備に仮設置する。この際、前面枠１０に遊技盤１３を収容した状態で仮設置してもよいし、機体を仮設置した後に遊技盤１３を前面枠１０に装着するようにしてもよい。なお、遊技盤１３のみを入れ替える場合は、島設備に設置されている機体から古い遊技盤を回収し、替わり新しい遊技盤１３を装着する。
パチンコ機１が仮設置されると、次に、遊技盤１３の傾斜角度（詳しくは、電動役物装置７の上棚３５）が予め設定された後傾角度となるように調整を行なう。具体的には、まず、前面開閉枠３０を前面枠１０に対して開放する。前面開閉枠３０を開放すると、遊技盤１３に取付けられた電動役物装置７の上棚３５にパチンコ球を載せることが可能となる。そこで、上棚３５の測定面４１にパチンコ球を載せ、パチンコ球の挙動から外枠２を傾斜させる方向を決定し、外枠２の傾きを調整する。すなわち、測定面４１に載せたパチンコ球がパチンコ機１の前方に転がるときは、外枠２の上端を外枠２の下端に対して後方に変位させる。一方、測定面４１に載せたパチンコ球がパチンコ機１の後方に転がるときは、外枠２の上端を外枠２の下端に対して前方に変位させる。外枠２の上端を変位させると、再度、測定面４１にパチンコ球を載せ、その挙動を観察する。そして、測定面４１に載せたパチンコ球が測定面４１上で停止するまで調整と測定を繰り返す。これによって、電動役物装置７の上棚３５が予め設定された傾斜角度に調整され、また、遊技盤１３の傾斜角度や外枠２の傾斜角度も適切な傾斜角度に調整される。なお、この傾斜角度の測定作業と調整作業は、前面開閉枠３０を開放した状態でパチンコ機１の前面側から行なえばよいので、短時間で調整することができる。
上棚３５の傾斜角度を予め設定された角度に調整すると、外枠２を島設備に釘等の固着手段によって固定する。なお、パチンコ機１がパチンコ遊技に供される際は、前面開閉枠３０が閉じられるため、遊技者は測定面４１上にパチンコ球を載せることができない。このため、遊技者に遊技盤１３の傾斜角度の設定を知られないようにすることができる。また、電動役物装置７の上棚３５の先端に測定面４１を設けているため、測定面４１が目立たず、遊技者にその存在を意識させることを防止することができる。
【００３９】
以上、説明したように本実施形態のパチンコ機１では、パチンコ球を利用して電動役物装置７（詳しくは、上棚３５）の傾斜角度を測定する。このため、簡易かつ安価に傾斜角度を測定することができる。
また、傾斜角度の測定は、パチンコ球を載置可能な平面を設けるだけでよいため、その設置スペースを大幅に小型化できる。このため、傾斜角度の調整を行ないたい部材（本実施形態の場合は電動役物装置７の上棚３５）に直接測定面を設けることができ、その部位の傾斜角度を精度良く測定することができる。
【００４０】
以上、本発明の一実施形態について詳細に説明したが、これは例示にすぎず、特許請求の範囲を限定するものではない。特許請求の範囲に記載の技術には、以上に例示した具体例を様々に変形、変更したものが含まれる。例えば、下記に記載の形態で好適に実施することができる。
【００４１】
（１）上述した実施形態では、遊技盤１３に取付けた電動役物装置７の上棚３５に測定面４１を設け、上棚３５を予め設定された傾斜角度に調整した。しかしながら、本発明はこのような形態に限られず、傾斜角度を側定するための測定面を遊技盤自体や機体（外枠，前面枠等）に設けることもできる。
例えば、傾斜角度を測定するための測定面を遊技盤に直接設ける場合は、その測定面を、遊技盤の法線方向から、遊技盤を傾ける方向とは反対の方向に、遊技盤を傾けたい角度（すなわち、遊技盤の目標傾斜角度）だけ傾ければよい。すなわち、図８（ａ）に示すように、遊技盤面Ｆを鉛直面Ｖと一致させたときに、測定面が水平面Ｈから目標傾斜角度θだけ遊技機前方に傾くようにする。このように測定面を設けると、図８（ｂ）に示すように、遊技盤面Ｆが鉛直面Ｖから目標傾斜角度θだけ後傾すると、測定面が水平面Ｈと一致する。したがって、測定面上に載せたパチンコ球の挙動によって遊技盤が目標傾斜角度θに調整されているか否かを判定することができる。
なお、遊技盤に直接測定面を設ける場合は、レールで囲まれた遊技領域の外側で、かつ、前面開閉枠の透視窓の外側に測定面を設けることが好ましい。このような構成を採ることで、測定面が前面開閉枠によって遮蔽され、遊技機に測定面が設けられていることを遊技者に知られないようにすることができる。
また、遊技機の傾斜角度を測定するための測定部は、遊技盤を収容する機体側に設けることもできる。機体側に測定部を設けることで、遊技盤毎に測定部を設ける場合と比較して、そのコストを抑えることができる。機体側に測定部を設ける場合、例えば、外枠の下枠部材の平板部（下枠杆）や、下皿や上皿の外郭部材に設けることができる。下皿や上皿の外郭部材に測定部を設けた場合は、遊技者によって遊技機の傾斜角度を測定することが可能となり、遊技店において遊技機を選択する際の参考とすることができる。
あるいは、下皿の中、灰皿の中、灰皿のタバコ載せ、コイン載せ等に測定部を設けることもできる。測定部を下皿の中や、灰皿の中に設けた場合は、前面開閉枠を開放することなく遊技機の前面側から測定部に遊技球を載せることができ、なおかつ、測定部の存在を遊技者に気付かれ難くすることができる。このため、傾斜角度の調整作業の容易化を図りつつ、遊技者に遊技盤の傾斜角度の設定を知られないようにすることができる。また、灰皿のタバコ載せや、コイン載せを利用する場合は、その部分をパチンコ球を載せる凹部（すなわち、遊技盤の傾斜を測定するための凹部）として利用し、遊技盤の傾斜を測定することができる。例えば、コイン載せに２本のリブを用いる傾斜測定装置（図１３，１４に示す傾斜測定装置。詳細については後述する。）を設ける場合、コイン載せのセパレータをリブとして利用することもできる。なお、上述した下皿の中、灰皿の中、灰皿のタバコ載せ、コイン載せ等は、これら各部位が遊技者の注意を余り引かないものであり、かつ、遊技機全体のデザインにも余り影響を与えないため、測定部を設け易いという利点をも有する。
【００４２】
（２）上述した実施形態では、傾斜測定対象部位が予め設定された傾斜角度となっているか否かを判定したが、本発明では、傾斜測定対象部位が予め設定された傾斜角度範囲（θ’〜θ’’）内となっているか否かを判定することもできる。
例えば、上述した実施形態の測定面４１に換えて図９に示す傾斜測定装置５０を用いることで、傾斜測定対象部位が所定の傾斜角度範囲に調整されているか否かを判定することができる。図９に示す傾斜測定装置５０は、長方形状の板材によって構成され、その板材の上面５１には溝５２が形成される。溝５２の幅（側面５８から側面６０までの距離）は、パチンコ球Ｂの直径より小さくされている。また、溝５２の深さは、溝５２にパチンコ球Ｂを嵌めたときに溝５２の底面６２とパチンコ球Ｂとが接触しないような深さとなっている。したがって、溝５２にパチンコ球Ｂを嵌めると、そのパチンコ球Ｂは溝５２の両側面５８，６０の上縁の２点で支持されるようになっている。
【００４３】
さらに、溝５２の幅は、端部５４（溝幅Ｌ１）から端部５６（溝幅Ｌ２（＞Ｌ１））に向かって単調に増加するようになっている。したがって、傾斜測定装置５０を水平の状態として溝５２にパチンコ球を嵌めると、パチンコ球には端部５４から端部５６に向かう方向にそのパチンコ球を転動させようとする回転モーメントが作用し、その回転モーメントの大きさは溝５２の幅（すなわち、溝５２の長手方向の位置）に応じて変化する。したがって、傾斜測定装置５０を傾けることでパチンコ球に作用する回転モーメントを打ち消し、これによってパチンコ球を停止させようとすると、パチンコ球を停止させる位置に応じて傾斜測定装置５０の傾斜角度を変えなければならない。
【００４４】
このことを図１０及び図１１を用いて説明する。図１０は、溝５２に嵌めたパチンコ球が側面５８，６０によって支持されている場合に、そのパチンコ球を傾斜測定装置５０の上面５１の位置で切断したときの切断面（図中ＳＡ又はＳＢ）と、溝５２の側面５８，６０との位置関係を、傾斜測定装置５０の上方から表した図である。図１１は、パチンコ球が傾斜測定装置５０上にあるときに、パチンコ球の中心Ｏ点と、パチンコ球と傾斜測定装置５０との接点（Ａ点又はＢ点）と、パチンコ球の中心Ｏ点を切断面（図１０中のＳＡ又はＳＢ）に投影したときの投影点（ＯＡ点又はＯＢ点）との幾何学的関係を、傾斜測定装置５０の側面から見た図であり、図中（ａ）はパチンコ球と傾斜測定装置５０とがＡ点で接している状態を示し、（ｂ）はパチンコ球と傾斜測定装置５０とがＢ点で接している状態を示している。なお、図１１では、(ａ)に示す状態と（ｂ）に示す状態との相違を明確にするため、その差を強調して描いている。
【００４５】
図１０に示すように溝５２の側面５８，６０は、溝５２の中心線Ｌに対して直線状に広がる。ここで、パチンコ球と側面５８との接点である接点Ａ（又は接点Ｂ）から中心線Ｌに下ろした垂線と中心線Ｌとの交点をＡ’点（又はＢ’点）とし、パチンコ球の中心Ｏを切断面ＳＡ（又はＳＢ）に投影したときの投影点をＯＡ点（又はＯＢ点）とする。図から明らかなように距離ＯＢＢ’（＝ｘ２）は距離ＯＡＡ’（＝ｘ１）より大きくなる（ｘ２＞ｘ１）。すなわち、溝５２の幅が広がるに応じて、上記交点から上記投影点までの距離は長くなる。
一方、溝５２の幅が広がると、パチンコ球は溝５２に深く嵌まり込む。このため、パチンコ球がＢ点で接するときのパチンコ球の中心Ｏ点からその投影点ＯＢ点までの距離ＯＯＢ〔＝ｈ２（図１１（ｂ）参照）〕は、パチンコ球がＡ点で接するときのパチンコ球の中心Ｏ点からその投影点ＯＡ点までの距離ＯＯＡ〔＝ｈ１（図１１（ａ）参照）〕よりも短くなる（ｈ１＞ｈ２）。すなわち、溝５２の幅が広がるに応じて、パチンコ球の中心Ｏから投影点までの距離は短くなる。
【００４６】
したがって、傾斜測定装置５０の側面からパチンコ球を見たときのパチンコ球の中心Ｏ点と、投影点（ＯＡ点又はＯＢ点）と、交点（Ａ’点又はＢ’点）との幾何学的関係は、図１１に示すようになる。図１１から明らかなように、∠Ａ’ＯＯＡ（＝θ１）は∠Ｂ’ＯＯＢ（＝θ２）より小さくなる（θ１＜θ２）〔なお、傾斜測定装置５０の側面からパチンコ球を見ると、Ａ点とＡ’点、Ｂ点とＢ’点は同一の位置となる。〕。
ここで、パチンコ球が傾斜測定装置５０上で停止するためには、パチンコ球と傾斜測定装置５０との接点（Ａ点又はＢ点）とパチンコ球の中心Ｏ点とを結ぶ線分が、鉛直線となる必要がある。このため、図１１（ａ）に示す場合には傾斜測定装置５０（詳しくは、その上面５１）がθ１だけ傾斜する必要があり（右側の図）、図１１（ｂ）に示す場合には傾斜測定装置５０（詳しくは、その上面５１）がθ２だけ傾斜する必要がある（右側の図）。θ１＜θ２であることから、図１１（ａ）に示す場合と比較して図１１（ｂ）に示す場合の方が傾斜測定装置５０を多く傾ける必要がある。したがって、傾斜測定装置５０を傾けることでパチンコ球を停止させようとすると、溝５２の幅が広がるに応じて、傾斜測定装置５０の傾斜角度を大きくする必要がある（すなわち、溝５２の幅が広がるに応じて、パチンコ球に作用する回転モーメントが大きくなる。）。
【００４７】
上述した説明から明らかなように、図９に示す傾斜測定装置５０では、パチンコ球の停止位置に応じて傾斜測定装置５０の傾斜角度が変化する。したがって、パチンコ球が端部５４で停止するときの傾斜測定装置５０の傾斜角度をθ’、 パチンコ球が端部５６で停止するときの傾斜測定装置５０の傾斜角度をθ’’とすると、傾斜測定装置５０の傾斜角度がθ’〜θ’’の範囲内となれば、溝５２に嵌め込まれたパチンコ球は溝５２内のいずれかの位置で停止する。このため、上記傾斜測定装置５０を用いると、傾斜測定対象物の傾斜角度がθ’〜θ’’の範囲内となっているか否かを判定することができる。
また、傾斜測定装置５０（すなわち、遊技盤）を予め設定した傾斜角度範囲内（θ’〜θ’’）に調整できれば、傾斜測定装置５０上に載せた遊技球は傾斜測定装置５０上で停止する。したがって、まず、遊技球が傾斜測定装置５０上で停止するよう遊技盤の傾斜角度を適当に調整し、その後、傾斜測定装置５０に遊技球を載せた状態で傾斜角度の微調整を行うことができる。このため、傾斜測定装置の傾斜角度の調整を容易に行うことができる。
【００４８】
また、図９に示す傾斜測定装置５０では、溝５２の底面６２に基準位置を示す印６１が形成されている。したがって、この印６１に合わせてパチンコ球を停止させれば、傾斜測定対象物を安定して一定の傾斜角度に調整することができる。
さらに、底面６２又は上面５１にさらに複数の目盛等を設け、パチンコ球の停止位置（すなわち、傾斜測定対象物の傾斜角度）を多段階に調整することもできる。例えば、溝５２の底面６２に３つの目盛りを設け、入賞し易い状態、入賞難易が通常の状態、あるいは入賞し難い状態のいずれかに遊技機を調整できるようにしてもよい。
また、上述した傾斜測定装置５０を測定対象物（役物装置，遊技盤，外枠等）に取付ける際は、傾斜測定装置５０の溝５２の延びる方向（中心線Ｌの方向）が遊技機の前後方向（遊技盤の法線方向）と一致することが好ましい。溝５２の延びる方向を遊技機の前後方向と一致させると、溝５２に嵌め込んだパチンコ球が溝５２の両側面に均等に支持されるため、測定対象物の傾斜速度を精度良く側定することができる。
なお、パチンコ球を嵌める溝の形状としては、図９に示すものの他、図１２に示す形状を採用することもできる。図１２（ａ）に示す例では、溝の中心６３から一方の端部に向かって溝６４が形成され、他方の端部に向かって溝６５が形成される。溝６４，６５の溝幅は、それぞれ中心６３から端部に向かってが単調に減少するようになっている。また、図１２（ｂ）に示す溝形状を採用することもできる。図１２（ｂ）では、その中心６６から各端部に向かって伸びる溝６７，６８の溝幅は、直線的に減少せず、曲線的に減少するようになっている。
【００４９】
また、傾斜測定対象部位が予め設定された傾斜角度範囲（θ’〜θ’’）内となっているか否かを判定するための傾斜測定部としては、図１３に示す構造を採用することもできる。図１３に示す傾斜測定部は、傾斜測定対象部位に設けた２本のリブ７１，７２を備える。リブ７１，７２は平行で、その間の距離はパチンコ球の直径よりも小さくされている。このため、リブ７１，７２の上にパチンコ球を載置できるようになっている。また、リブ７１，７２の上端は下方に凸の円弧状に形成されており、位置によって接線の傾きが異なる。このため、傾斜測定対象部位の傾斜角度が所定の角度範囲内となっていると、リブ７１，７２上にパチンコ球が停止することとなる。
図１３に示す傾斜測定部によると、パチンコ球を載置する部位（すなわち、リブ７１，７２の上端）が傾斜測定対象部位より上方に突出するため、傾斜測定部上にパチンコ球をのせやすく、また、パチンコ球の取外しが行い易い。このため、遊技機の傾斜調整作業を容易に行うことができる。
なお、図１３に示す傾斜測定部においても、リブ７２の側面に目盛り７３を付し、パチンコ球の停止位置を読取るようにしてもよい。これによって、傾斜測定対象部位の傾きを定量的に把握することができる。
また、リブ上端の形状は、リブを側面から見たときに下方に凸となるように形成されておれば良く、例えば、図１４に示すように、リブ７４の中央７５におけるリブの高さが最も低く、中央から各端部に向かってリブの高さが単調に増加（図１４の例では、直線的に増加）するように形成することもできる。
【００５０】
あるいは、傾斜測定装置に遊技球が載置される凹面を設け、その凹面が所定の半径の球面状（又は円錐状）に形成されていてもよい。このような傾斜測定装置を用いると、遊技機の前後方向の傾きのみならず、遊技機の左右方向の傾きまで測定することができる。
【００５１】
（３）上述した各実施形態では、傾斜測定部にパチンコ球を載せて、その挙動から傾斜測定対象物の傾斜角度を測定する例であったが、傾斜測定部にパチンコ球を載せる必要は必ずしもなく、別途用意した球体を載せるようにしてもよい。
【００５２】
（４）上述した各実施形態は本発明をパチンコ機に適用した例であったが、本発明はこの他にも、例えば、アレンジホール機（一定数の鋼球を遊技盤上に射出して所定の当たり状態を成立させるもの）、雀球遊技機等の各種遊技機にも適用することができる。
【００５３】
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数の目的を同時に達成するものであり、そのうちの一つの目的を達成すること自体で技術的有用性を持つものである。
【図面の簡単な説明】
【００５４】
【図１】本実施形態のパチンコ機の外枠に対し前面枠を開いた状態を示す図。
【図２】外枠に対し前面枠及び前面開閉枠を開いた状態を示す図
【図３】遊技盤の正面図。
【図４】電動役物装置の上棚の斜視図。
【図５】上棚の正面図。
【図６】上棚の平面図。
【図７】図６のVII−VII線断面図
【図８】遊技盤に直接測定面が設けられた例を説明するための図。
【図９】本発明に係る他の傾斜測定装置の斜視図。
【図１０】図９に示す傾斜想定装置の溝に嵌めたパチンコ球が側面の所定の位置（Ａ点又はＢ点）で支持されている場合において、そのパチンコ球を傾斜測定装置の上面で切断したときの切断面と、溝の側面との位置関係を、傾斜測定装置の上方から見た図。
【図１１】図９に示す傾斜測定装置上にパチンコ球があるときに、パチンコ球の中心Ｏ点と、パチンコ球と傾斜測定装置との接点（Ａ点又はＢ点）と、パチンコ球の中心Ｏ点を切断面（図１０中のＳＡ又はＳＢ）に投影したときの投影点（ＯＡ点又はＯＢ点）との幾何学的関係を、傾斜測定装置の側面から見た図である。
【図１２】図９に示す傾斜測定装置に採用することができる溝の形状の他の例を示す図。
【図１３】本発明に係る他の傾斜測定部の構造を模式的に示す図。
【図１４】図１３に示す傾斜測定部の変形例を示す図。
【符号の説明】
【００５５】
１・・パチンコ機
２・・外枠
４・・キャラクタ体
５・・レール
６・・始動口
７・・電動役物装置
１０・・前面枠
１３・・遊技盤
１３ａ・遊技領域
３０・・前面開閉枠
３２・・透視窓
３３・・ガラス枠
３５・・上棚
３６・・第２球誘導部
３９ａ，３９ｂ・・第１球誘導部
４０・・突起
４１・・測定面
【図１】
2005110853.tif 000003
【図２】
2005110853.tif 000004
【図３】
2005110853.tif 000005
【図４】
2005110853.tif 000006
【図５】
2005110853.tif 000007
【図６】
2005110853.tif 000008
【図７】
2005110853.tif 000009
【図８】
2005110853.tif 000010
【図９】
2005110853.tif 000011
【図１０】
2005110853.tif 000012
【図１１】
2005110853.tif 000013
【図１２】
2005110853.tif 000014
【図１３】
2005110853.tif 000015
【図１４】
2005110853.tif 000016